(57)【特許請求の範囲】
【請求項１】
コントローラと、降圧レギュレータと、電力コントローラと、マイクロプロセッサと、負荷と、複数の加熱ゾーンと、少なくとも１つの加熱モジュールとを備え、
前記コントローラの入力は入力電圧を受け取るように構成され、
前記コントローラの第１の出力は、前記負荷の動作電圧よりも高い入力電圧を前記降圧レギュレータに出力するように構成され、
前記コントローラの第２の出力は、前記負荷の動作電圧以下の入力電圧を前記電力コントローラに出力するように構成され、
前記降圧レギュレータは、受け取った前記入力電圧を前記負荷の動作電圧と等しい電圧まで降圧し、前記降圧した電圧を前記電力コントローラに出力し、
前記電力コントローラは、受け取った前記入力電圧を前記コントローラからの負荷制御信号に応じて対応する前記負荷に出力し、
それぞれの前記加熱ゾーンには、前記降圧レギュレータの出力に接続されたコネクタが設けられ、前記加熱モジュールの入力は前記複数の加熱ゾーンの前記コネクタに適合し、前記マイクロプロセッサの出力は前記コネクタの制御端子に加熱ゾーン温度制御信号を送信する、
適応型電熱システム。
【請求項２】
前記コントローラの入力に接続された出力を有する少なくとも１つの電源と、
少なくとも１つの前記電源に１対１で対応する少なくとも１つの電源保護回路
をさらに備え、
前記少なくとも１つの電源保護回路は、それぞれ対応する前記電源と前記コントローラの入力との間に直列に接続される、
請求項１に記載の適応型電熱システム。
【請求項３】
前記負荷の動作電圧の範囲が３．２Ｖ〜４８Ｖであり、かつ前記電源の電圧の範囲が３．２Ｖ〜４８Ｖである、
請求項２に記載の適応型電熱システム。
【請求項４】
前記加熱ゾーン温度制御信号は、対応する前記加熱モジュールが予め設定された温度に達するまで立ち上がりエッジ信号が送信された後、立ち下がりエッジ信号が送信されるスイッチングパルス信号である、
請求項１に記載の適応型電熱システム。
【請求項５】
衣服の本体と、請求項１に記載の適応型電熱システムとを備え、
前記適応型電熱システムは、前記衣服の本体に内蔵されている、
電熱式衣服。
【請求項６】
前記衣服の本体は、マイクロプロセッサと、複数の加熱ゾーンと、少なくとも１つの加熱モジュールとを備え、
それぞれの前記加熱ゾーンには、前記適応型電熱システムの前記降圧レギュレータの出力に接続されたコネクタが設けられ、前記加熱モジュールは前記複数の加熱ゾーンに適合し、前記加熱モジュールの入力は前記複数の加熱ゾーンの前記コネクタに適合し、前記マイクロプロセッサの出力は前記コネクタの制御端子に加熱ゾーン温度制御信号を送信する、
請求項５に記載の電熱式衣服。
【請求項７】
前記加熱モジュールは、熱粘性織物層と熱拡散層とが互いに結合され、前記熱粘性織物層と前記熱拡散層との間に挟まれた電熱線、加熱ペースト又は加熱トラックを含み、
前記マイクロプロセッサは、無線及び／又はＢｌｕｅｔｏｏｔｈモジュールを介して携帯端末によって送信された前記加熱ゾーン温度制御信号を受信し、
前記携帯端末は、電熱式衣服のフィルタリング検索を実行し、見つかった前記電熱式衣服に接続して、対応する加熱ゾーン温度制御信号を生成する、
請求項６に記載の電熱式衣服。
【請求項８】
前記加熱モジュールは、前記熱拡散層の底部に取り付けられた断熱層をさらに含み、
前記加熱モジュールは、弾性層をさらに含み、前記断熱層の底部は前記弾性層上に接着されることを特徴とする、
請求項７に記載の電熱式衣服。
【請求項９】
前記マイクロプロセッサは、温度センサによって感知された環境温度を受信して、加熱ゾーン温度制御信号を生成し、
前記加熱ゾーン温度制御信号は、対応する前記加熱モジュールが予め設定された温度に達するまで立ち上がりエッジ信号が送信された後、立ち下がりエッジ信号が送信されるスイッチングパルス信号である、
請求項６に記載の電熱式衣服。
【請求項１０】
前記加熱ゾーンは、襟、袖の中間部、袖肘、肩部、胸部、腹部、膝部、大腿部、臀部、袖口部、上背部、腰部及び／又は他の人体部分に対応する部分を含み、
前記加熱ゾーン温度制御信号は、到達目標の温度値及び所望の加熱時間を含み、前記温度値は、摂氏又は華氏温度値の形式で表される、
請求項６に記載の電熱式衣服。
【請求項１１】
前記衣服の本体の外面に埋め込まれた表示パネルをさらに備え、
前記表示パネルは、前記加熱ゾーンの温度を表示するために前記マイクロプロセッサの出力に接続された入力を有する、
請求項６に記載の電熱式衣服。
【請求項１２】
前記衣服の本体の外面に埋め込まれたボタンをさらに備え、
前記ボタンは、前記加熱ゾーンによって到達される所望の目標温度値を入力するために前記マイクロプロセッサの入力に接続されている、
請求項７に記載の電熱式衣服。
【請求項１３】
温度の上昇又は低下を示す矢印、温度範囲及び／又は温度値が前記ボタン上に表示され、
前記ボタン上の光表示は、前記ボタンをダブルクリックすること又は前記携帯端末によってインデックス信号を受信することによって、無効にされるか又はオフにされる、
請求項１２に記載の電熱式衣服。
【請求項１４】
前記マイクロプロセッサの出力に接続された入力を有し、オン／オフ時間、前記電熱式衣服の温度、動作温度に対応する時間、及び前記電熱式衣服の型式を記憶するメモリをさらに備える、
請求項６に記載の電熱式衣服。
【発明の詳細な説明】
【発明の背景】
【０００１】
１．技術分野
本発明は、電気加熱製品の分野に関し、特に、適応型電熱システム及び電熱式衣服に関する。
【０００２】
２．関連する技術の説明
人々の医療意識がますます高まっているため、電熱式衣服はますます人気が高まっている。この電熱式衣服には、限定されないが、加熱式オーバーコート、加熱式Ｔシャツ、加熱式シャツ、加熱式セーター、加熱式ベスト、加熱式パンツ、加熱式下着、加熱式キャップ、加熱式スカート、加熱式手袋、加熱式くつ下、加熱式膝当て、加熱式肘当て、加熱式肩当て、加熱式首当て、加熱式手首当て、加熱式腰サポーター、加熱式保護パッド、加熱式シース、加熱式カバーなどが含まれる。
【０００３】
人々の生活水準が向上するにつれて、電熱式衣服以外の電熱式製品もまた、日常生活において広く応用されるようになった。電熱式製品には、ペット用品、乳幼児用品、屋外用品を含むが、これに限定されるものではない。ペット用品には、犬用ベッド、加熱式パッド、加熱式ペット用衣服、加熱式ペットフード用ポットなどが含まれるが、これらに限定されない。乳幼児用品には、ベビーカー、抱っこ紐、おくるみ、ミルク加熱用袋などが挙げられるが、これらに限定されない。屋外用品としては、加熱式寝袋、加熱式ハンドバッグ、加熱式食品袋、加熱式飲料用断熱袋、加熱式パンバスケットなどが挙げられるが、これらに限定されない。
【０００４】
現在、上述の電熱式製品では、入力電圧として単一の電圧が使用される。このため、電池の損失又は損傷により、これらの電熱式衣服又は電熱式製品の使用を継続することが不可能になる。したがって、これらの製品は適合性が低い。
【発明の概要】
【０００５】
上記課題を解決するために、本発明は、様々な異なる電圧入力に適応し、柔軟性が高く信頼性が高い適応型電熱システム及び電熱式衣服を提供する。
【０００６】
本発明が提供する適応型電熱システムは、コントローラと、降圧レギュレータと、電力コントローラと、マイクロプロセッサと、負荷と、複数の加熱ゾーンと、少なくとも１つの加熱モジュールとを備える。コントローラの入力は、入力電圧を受け取るように構成され、コントローラの第１の出力は、負荷の動作電圧よりも高い入力電圧を降圧レギュレータに出力するように構成され、コントローラの第２の出力は、負荷の動作電圧以下の入力電圧を電力コントローラに出力するように構成され、降圧レギュレータは、受け取った入力電圧を負荷の動作電圧と等しい電圧まで降圧し、降圧した電圧を電力コントローラに出力し、電力コントローラは、受け取った電圧をコントローラからの負荷制御信号に応じて対応する負荷に出力し、それぞれの前記加熱ゾーンには、前記適応型電熱システムの前記降圧レギュレータの出力に接続されたコネクタが設けられ、前記加熱モジュールの入力は前記複数の加熱ゾーンの前記コネクタに適合し、前記マイクロプロセッサの出力は前記コネクタの制御端子に加熱ゾーン温度制御信号を送信する。
【０００７】
さらに、コントローラの入力はＵＳＢソケットに接続されている。
【０００８】
さらに、適応型電熱システムは、コントローラの入力に接続された出力を有する少なくとも１つの電源をさらに備える。
【０００９】
さらに、負荷の動作電圧の範囲は３．２Ｖ〜４８Ｖである。
【００１０】
さらに、電源は、３．２Ｖ〜３．８５Ｖの範囲の電圧を有するリチウムイオン電池もしくはリチウムポリマー電池、５Ｖのモバイル電源、６．４Ｖ〜７．７Ｖのリチウムイオン電池もしくはリチウムポリマー電池、１２Ｖの自動車用電池、及び／又は３６Ｖ〜４８Ｖの電圧範囲を有するリチウムイオン電池もしくはリチウムポリマー電池を備える。
【００１１】
さらに、適応型電熱システムは、少なくとも１つの電源に１対１で対応するように少なくとも１つの電源保護回路を備える。少なくとも１つの電源保護回路は、それぞれ対応する電源とコントローラの入力との間に直列に接続される。
【００１２】
さらに、適応型電熱システムは、複数のソーラー素子をさらに備える。それぞれのソーラー素子の出力は、コントローラの入力又は電源の入力に接続される。
【００１３】
さらに、適応型電熱システムは、マイクロプロセッサと、複数の加熱ゾーンと、少なくとも１つの加熱モジュールとを備える。それぞれの加熱ゾーンには、適応型電熱システムの降圧レギュレータの出力に接続されたコネクタが設けられ、加熱モジュールは複数の加熱ゾーンに適合し、加熱モジュールの入力は複数の加熱ゾーンのコネクタに適合され、マイクロプロセッサの出力はコネクタの制御端子に加熱ゾーン温度制御信号を送信する。
【００１４】
さらに、マイクロプロセッサはシリカゲルによって密閉される。
【００１５】
さらに、加熱モジュールには、熱粘性織物層と熱拡散層とが互いに結合される。この熱粘性織物層と熱拡散層との間に、電熱線、加熱ペースト又は加熱トラックが挟まれる。
【００１６】
さらに、加熱モジュールは、熱拡散層の底部に取り付けられた断熱層をさらに含む。
【００１７】
さらに、加熱モジュールは、弾性層をさらに備え、前記断熱層の底部が前記弾性層上に接着される。
【００１８】
さらに、マイクロプロセッサは、無線及び／又はＢｌｕｅｔｏｏｔｈ（登録商標）モジュールを介して、携帯端末によって送信された加熱ゾーン温度制御信号を受信する。
【００１９】
さらに、携帯端末は、電熱システムのフィルタリング検索を行い、見つかった電熱システムに接続して、対応する加熱ゾーン温度制御信号を生成する。
【００２０】
さらに、マイクロプロセッサは、温度センサによって感知された環境温度を受信して、加熱ゾーン温度制御信号を生成する。
【００２１】
さらに、加熱ゾーン温度制御信号は、対応する加熱モジュールが予め設定された温度に達するまで立ち上がりエッジ信号が送信された後、立ち下がりエッジ信号が送信されるスイッチングパルス信号である。
【００２２】
さらに、加熱ゾーン温度制御信号は、到達目標の温度値及び所望の加熱時間を含む。温度値は、摂氏又は華氏温度値の形式で表される。
【００２３】
さらに、適応型電熱システムは、表示パネルをさらに備える。表示パネルの入力は、マイクロプロセッサの出力に接続され、加熱ゾーンの温度を表示する。
【００２４】
さらに、表示パネルはシリカゲルで封止される。
【００２５】
さらに、適応型電熱システムは、ボタンをさらに備える。ボタンは、マイクロプロセッサの入力に接続された出力を有し、加熱ゾーンによって到達される所望の目標温度値を入力する。
【００２６】
さらに、ボタン上には、温度の上昇又は低下を示す矢印、温度範囲及び／又は温度値が表示される。
【００２７】
さらに、ボタンはシリカゲルによって密封される。
【００２８】
さらに、適応型電熱システムは、メモリをさらに備える。メモリは、マイクロプロセッサの出力に接続された入力を有し、オン／オフ時間、電気熱システムの温度、動作温度に対応する時間、及び電熱システムの型式を記憶する。
【００２９】
さらに、ボタンの光表示は、ボタンをダブルクリックすること又は携帯端末によってインデックス信号を受信することによって、無効にするか又はオフにすることができる。
【００３０】
本発明はさらに、衣服の本体と、請求項１乃至請求項９のいずれか１項に記載の適応型電熱システムとを備える電熱式衣服を提供する。電熱システムは、衣服の本体に内蔵される。
【００３１】
さらに、衣服の本体は、マイクロプロセッサと、複数の加熱ゾーンと、少なくとも１つの加熱モジュールとを備える。それぞれの加熱ゾーンには、適応型電熱システムの降圧レギュレータの出力に接続されたコネクタが設けられ、加熱モジュールは複数の加熱ゾーンに適合し、加熱モジュールの入力は複数の加熱ゾーンのコネクタに適合され、マイクロプロセッサの出力はコネクタの制御端子に加熱ゾーン温度制御信号を送信する。
【００３２】
さらに、マイクロプロセッサはシリカゲルによって密閉される。
【００３３】
さらに、加熱モジュールには、熱粘性織物層と熱拡散層とが互いに結合される。この熱粘性織物層と熱拡散層との間に、電熱線、加熱ペースト又は加熱トラックが挟まれる。
【００３４】
さらに、加熱モジュールは、熱拡散層の底部に取り付けられた断熱層をさらに含む。
【００３５】
さらに、加熱モジュールは、弾性層をさらに備え、前記断熱層の底部が前記弾性層上に接着される。
【００３６】
さらに、マイクロプロセッサは、無線及び／又はＢｌｕｅｔｏｏｔｈモジュールを介して、携帯端末によって送信された加熱ゾーン温度制御信号を受信する。
【００３７】
さらに、携帯端末は、電熱式衣服のフィルタリング検索を行い、見つかった電熱式衣服に接続して、対応する加熱ゾーン温度制御信号を生成する。
【００３８】
さらに、マイクロプロセッサは、温度センサによって感知された環境温度を受信して、加熱ゾーン温度制御信号を生成する。
【００３９】
さらに、加熱ゾーン温度制御信号は、対応する加熱モジュールが予め設定された温度に達するまで立ち上がりエッジ信号が送信された後、立ち下がりエッジ信号が送信されるスイッチングパルス信号である。
【００４０】
さらに、加熱ゾーンは、襟、袖の中間部、袖肘、肩部、胸部、腹部、膝部、大腿部、臀部、袖口部、上背部、腰部及び／又は他の人体部分に対応する部分を含む。
【００４１】
さらに、加熱ゾーン温度制御信号は、到達目標の温度値及び所望の加熱時間を含む。温度値は、摂氏又は華氏温度値の形式で表される。
【００４２】
さらに、電熱式衣服は、製品又は衣服の本体の外面に埋め込まれた表示パネルをさらに備える。表示パネルの入力は、マイクロプロセッサの出力に接続され、加熱ゾーンの温度を表示する。
【００４３】
さらに、表示パネルはシリカゲルによって密封される。
【００４４】
さらに、電熱式衣服は、衣服の本体の外面に埋め込まれたボタンをさらに備える。ボタンは、マイクロプロセッサの入力に接続された出力を有し、加熱ゾーンによって到達される所望の目標温度値を入力する。
【００４５】
さらに、電熱式衣服は、温度の上昇又は低下を示す矢印をさらに含み、ボタン上には、温度範囲及び／又は温度値が表示される。
【００４６】
さらに、電熱式衣服は、シリカゲルで密封されたボタンをさらに備える。
【００４７】
さらに、電熱式衣服は、メモリをさらに備える。メモリは、マイクロプロセッサの出力に接続された入力を有し、オン／オフ時間、電熱式衣服の温度、動作温度に対応する時間、及び電熱式衣服の型式を記憶する。
【００４８】
さらに、ボタンの光表示は、ボタンをダブルクリックすること又は携帯端末によってインデックス信号を受信することによって、無効にするか又はオフにすることができる。
【００４９】
本発明は、以下の利点を有する。
【００５０】
現在の電熱式製品は、入力電圧として主に単一の電圧を使用する。このため、電池の損失又は損傷により、電熱式製品の使用を継続することが不可能になり、これらの製品の適合性が悪くなる。この問題を解決するために、本発明は、様々な電圧に適応し、様々な入力電圧を降圧レギュレータ及び電力コントローラを介して負荷の動作電圧に調整することができ、同時に複数の入力電圧を供給し、同時に複数の負荷に対して動作電圧を提供し、良好な柔軟性と高い信頼性を有する。
【００５１】
上述したものは、本発明の技術的解決策の概要のみである。本発明の技術的手段が本明細書の内容に従ってより良く理解され、実施され、本発明の前述及び他の目的、特徴及び利点がより明白に理解されるために、以下に本発明の具体的な実施態様について説明する。
【図面の簡単な説明】
【００５２】
以下の好ましい実施形態の詳細な説明を読むことにより、当業者には本発明の様々な他の利点及び利益がより明らかになる。図面は、好ましい実施形態を提示するためにのみ使用されており、本発明を限定するものと解釈すべきではない。同様の参照番号は、図面を通して同様の構成要素を示す。
【００５３】
【図１】本発明の第１の実施形態における適応型電熱システムの概略構成図である。
【図２】本発明の第２の実施形態における太陽電池アセンブリを有する電熱式衣服の概略構成図である。
【図３】本発明の第２の実施形態における太陽電池アセンブリの充電工程を示す概略図である。
【図４】本発明の第２の実施形態における加熱モジュールの概略構成図である。
【図５】本発明の第２の実施形態における加熱モジュールの温度曲線を示す模式図である。
【図６ａ】本発明の第２の実施形態における電熱式衣服の第１の種類の温度曲線を示す模式図である。
【図６ｂ】本発明の第２の実施形態における電熱式衣服の第２の種類の温度曲線を示す模式図である。
【図６ｃ】本発明の第２の実施形態における電熱式衣服の第３の温度曲線を示す模式図である。
【図７】本発明の第２の実施形態における電熱式衣服の概略構成図である。
【図８ａ】本発明の第２の実施形態において、襟が加熱ゾーンである電熱式衣服の概略構成図である。
【図８ｂ】本発明の第２の実施形態における電熱スカーフの概略構成図である。
【図９】本発明の第２の実施形態における袖口部が加熱ゾーンである電熱式衣服の概略構成図である。
【図１０】本発明の第２の実施形態における袖肘部が加熱ゾーンである電熱式衣服の概略構成図である。
【図１１】本発明の第２の実施形態における肩部が加熱ゾーンである電熱式衣服の概略構成図である。
【図１２】本発明の第２の実施形態における大腿部が加熱ゾーンである電熱式衣服の概略構成図である。
【図１３ａ】本発明の第２の実施形態における携帯端末の制御インターフェースを示す第１の概略図である。
【図１３ｂ】本発明の第２の実施形態における携帯端末の制御インターフェースを示す第２の概略図である。
【図１４ａ】本発明の第２の実施形態において、到達温度が６０℃の場合のスイッチングパルスを示す模式図である。
【図１４ｂ】本発明の第２の実施形態において、到達温度が６０℃の場合の温度曲線を示す模式図である。
【図１５ａ】本発明の第２の実施形態において、到達温度が５０℃の場合のスイッチングパルスを示す模式図である。
【図１５ｂ】本発明の第２の実施形態において、到達温度が５０℃の場合の温度曲線を示す模式図である。
【図１６ａ】本発明の第２の実施形態において、到達温度が４０℃の場合のスイッチングパルスを示す模式図である。
【図１６ｂ】本発明の第２の実施形態において、到達温度が４０℃の場合の温度曲線を示す模式図である。
【図１７】本発明の第２の実施形態におけるスマート調整のための制御インターフェースを示す概略図である。
【図１８】本発明の第２の実施形態において、ボタン及び制御インターフェースによる電熱式衣服の切り替え状態の表示手段を示す模式図である。
【図１９】本発明の第２の実施形態において、ボタン及び制御インターフェースによる電熱式衣服の温度状態の表示手段を示す模式図である。
【図２０】本発明の第２の実施の形態におけるマイクロプロセッサの概略回路図である。
【図２１】本発明の第２の実施形態における電熱システムの概略回路図である。
【図２２ａ】本発明の第２の実施形態におけるプリント回路基板の概略正面図である。
【図２２ｂ】本発明の第２の実施形態におけるプリント回路基板の概略背面図である。
【発明を実施するための形態】
【００５４】
以下、図面を参照して、本開示の実施形態について詳細に説明する。本開示の例示的な実施形態が図面に示されているが、本開示は様々な形態で具体化されることができ、本明細書に記載される実施形態に限定されるべきではないことを理解されたい。代わりに、これらの実施形態は、本開示のより完全な理解を提供し、本開示の全範囲を当業者に伝えるために提供される。
【００５５】
以下、図面及び実施形態を参照することにより、本発明をさらに詳細に説明する。
【００５６】
図１を参照すると、本発明の第１の実施形態による適応型電熱システムが示されている。適応型電熱システムは、コントローラ１１０と、降圧レギュレータ１２０と、電力コントローラ１３０と、負荷１４０とを備える。コントローラの入力は入力電圧を受け取るように構成される。コントローラの第１の出力は、負荷の動作電圧よりも高い電圧を降圧レギュレータへ出力するように構成される。コントローラの第２の出力は、負荷の動作電圧以下の入力電圧を電力コントローラへ出力するように構成される。降圧レギュレータは、入力された入力電圧を負荷の動作電圧と等しい電圧に降圧し、降圧した電圧を電力制御部に出力する。電力制御部は、入力された入力電圧を、コントローラからの負荷制御信号に従って、対応する負荷へ出力する。
【００５７】
降圧レギュレータは、異なる入力電圧を負荷の動作電圧に等しい電圧に調整する。入力電圧が負荷の動作電圧より低いか等しい場合、入力電圧は降圧レギュレータをバイパスして、加熱効果に影響を与える電圧降下を回避します。
【００５８】
さらに、コントローラの入力はＵＳＢソケットに接続される。
【００５９】
さらに、適応型電熱システムは、コントローラの入力に接続された出力を有する少なくとも１つの電源１６０をさらに備える。電源の数に応じた少なくとも１つの電源プラグが設けられてもよい。
【００６０】
さらに、負荷の電圧の範囲は３．２Ｖ〜４８Ｖである。
【００６１】
さらに、電源電圧の範囲は３．２Ｖ〜４８Ｖである。
【００６２】
さらに、電源は、３．２Ｖ〜３．８５Ｖの範囲の電圧を有するリチウムイオン電池もしくはリチウムポリマー電池、５Ｖのモバイル電源、６．４Ｖ〜７．７Ｖのリチウムイオン電池もしくはリチウムポリマー電池、１２Ｖの自動車用電池、及び／又は３６Ｖ〜４８Ｖの電圧範囲を有するリチウムイオン電池もしくはリチウムポリマー電池を備える。
【００６３】
本実施形態の技術的解決策は、製品の適合性が大幅に向上するように、３．２Ｖ〜４８Ｖの範囲の電圧を入力するように自動的に調整される。ユーザは、現在最も一般的に市販されている５Ｖの外部モバイル電源だけでなく、１２Ｖの自動車用電池を動力源として使用することができる。加えて、このシステムでは、３６Ｖ〜４８Ｖの範囲の電圧を電源として有する電気自転車用電池を使用することもできる。
【００６４】
電池は、リチウムイオン電池及びリチウムポリマー電池を含むが、これらに限定されない。リチウムイオン電池には、リチウムマンガン酸化物スピネル、リチウムニッケルコバルト酸化物、リチウムコバルト酸化物などが含まれるが、これらに限定されない。リチウムポリマー電池は、リチウムニッケルコバルトマンガン酸化物、リチウムニッケルコバルトアルミニウム酸化物などを含む。自動車用電池は、鉛蓄電池、リン酸鉄リチウム、リチウムマンガン酸化物スピネルなどが挙げられるが、これらに限定されない。
【００６５】
３．７Ｖ又は７．４Ｖの小型で軽量で携帯性の良いＵＳＢ電池、又はより一般的な５Ｖの電圧を有するモバイル電源が好ましい。したがって、３．７Ｖ又は７．４Ｖの電圧を有するＵＳＢ電池と、５Ｖの電圧を有するモバイル電源はＵＳＢソケットに直接接続され、１２Ｖ〜４８Ｖの電圧を有する電源は調整回路を介してＵＳＢソケットに接続される。
【００６６】
さらに、適応型電熱システムは、少なくとも１つの電源に１対１で対応するように少なくとも１つの電源保護回路１５０をさらに備える。少なくとも１つの電源保護回路は、それぞれ対応する電源とコントローラの入力との間に直列に接続される。
【００６７】
さらに、少なくとも１つの電源保護回路のそれぞれは、カソードが電源の出力に接続され、アノードがコントローラの入力に接続されるダイオードであるが、これに限定されるものではない。
【００６８】
少なくとも１つの電源保護回路のそれぞれは、逆充電により少なくとも１つの電源（電池）のうちの１つが損傷することを防止することができる。
【００６９】
さらに、適応型電熱システムは、複数のソーラー素子をさらに備える。各ソーラー素子の出力は、コントローラの入力又は電源の入力に接続される。
【００７０】
ソーラー素子は、電池なしで電熱システムを連続的に使用させることができ、電池があるときにソーラーエネルギーで電池を充電することができ、特に屋外の活動で長い時間を過ごすときに、製品の電池の耐久性を延長する。
【００７１】
ソーラー素子は、単結晶シリコン（ｃ−Ｓｉ）もしくは多結晶シリコン（ｍｃ−Ｓｉ）太陽電池、アモルファスシリコン（ａ−Ｓｉ）太陽電池、テルル化カドミウム（ＣｄＴｅ）太陽電池、セレン化銅インジウムガリウム（ＣＩＧＳ）太陽電池、銅亜鉛スズ硫化物（ＣＺＴＳ）太陽電池、色素増感太陽電池（ＤＳＳＣ）、有機薄膜（ＯＰＶ）太陽電池及びペロブスカイト（ＰＶＳＫ）太陽電池であるが、これに限定されるものではない。ソーラー素子は、可撓性基板（例えば、ポリエチレンテレフタレート（ＰＥＴ）基板又はステンレススチールシート）上に形成され、樹脂によって封止されて周囲の影響から隔離される。例えば、３００ｍｍ×４００ｍｍのサイズを有するソーラー素子は、標準的なＡＭ１．５昼光照明条件下で約６Ｗの出力を有する。
【００７２】
また、本発明は、第２の実施形態に示すように、電熱式製品（システム）の一種を提供する。説明のための電熱式衣服を例示しているが、他の電熱式製品の原理は電熱式衣服と同じである。電熱システムは、衣服の本体と、上述のような適応型電熱システムとを含む。電熱システムは、衣服の本体に内蔵される。
【００７３】
この実施形態では、衣服の本体は、加熱式コートと一対の加熱式ズボンとを含む。必要に応じ、電源は重量のバランスをとるために加熱式コートの左下前方及び右下前方に配置されるように設計されてもよく、電源は３．２Ｖ〜４８Ｖの範囲の電圧を有してもよく、これにより電熱式衣服は優れた適応性を有する。５Ｖの携帯用電源は普及して使いやすく、３．７Ｖ及び７．４ＶのＵＳＢ電池は小型かつ軽量である。５Ｖのモバイル電源と、３．７Ｖ及び７．４Ｖの電池はＵＳＢソケットに直接接続することができ、１２Ｖ〜４８Ｖの電圧範囲の電源は調整回路を介してＵＳＢソケットに接続される。
【００７４】
市場の現在の電熱式衣服又は電熱式製品は、ほとんどが単一の電池を使用しており、いくつかの衣服又は製品において電池の耐久性が不十分であり、重量の不均衡が生じており、着用時に明らかに不快になる。この実施形態の技術的解決策は、２つ以上の電池を同時に使用することである。これにより、衣服又は製品の重量バランスをより柔軟に達成し、電池の充電容量を適切に増加させ、電熱式衣服又は電熱式製品の電池の耐久性を増加させる。
【００７５】
同時に複数の入力電圧が存在してもよく、このため少なくとも１つの電源保護回路を設けて、逆充電による各電源（電池）の破損を防止することができる。
【００７６】
図２によれば、太陽電池アセンブリ２１０が設けられている。このため、バッテリがない場合でも製品を使用することができる。図３によれば、バッテリがある場合、太陽電池アセンブリ３１０はソーラーエネルギーで電池３２０を充電することにより、特に屋外アクティビティでユーザが長い時間を過ごすときに電池の耐久性を延長することができる。本実施形態においては、衣服の機能性を高めるために、留め具がソーラー素子上に結合されているので、ソーラー素子を衣服本体に素早く接続又は取り外すことができる。電力供給における接続の簡素化をさらに改善するために、無線充電システムはソーラー素子と一体化されて衣服内の電池を無線で充電する。これに対応して、２つ以上の無線充電受信モジュールが衣類本体に組み込まれる。２つ以上の無線充電受信モジュールは、太陽電池アセンブリによって送信された電気を受信するだけでなく、衣服が動かないときに無線充電電源によって内蔵バッテリを無線で充電することができる。例えば、無線充電送信装置を内蔵するハンガーは、その上に掛けられた衣服を充電することができる。同じ電池は、異なる太陽電池素子から同時に充電されることができる。
【００７７】
さらに、衣服本体又は適応型電熱システムは、マイクロプロセッサ、複数の加熱ゾーン及び少なくとも１つの加熱モジュールを備える。それぞれの加熱ゾーンには、適応型電熱システムの降圧レギュレータの出力に接続されたコネクタが設けられ、加熱モジュールは複数の加熱ゾーンに適合し、加熱モジュールの入力は複数の加熱ゾーンのコネクタに適合され、マイクロプロセッサの出力はコネクタの制御端子に加熱ゾーン温度制御信号を送信する。さらに、マイクロプロセッサはシリカゲルによって密閉される。本実施形態の電熱式衣服は、低電圧の直流電力で動作し、その内部の電子素子は、洗浄中に防水性を有するように封入されている。試験により、コネクタを水で濡らしたときの０．５ｃｍ以内の距離の水の抵抗値は、室温のマルチメータＦＬＵＫＥ  １７Ｂで測定して得られるところ、５ＭΩよりも大きいことが判明している。低電圧加熱モジュールに接続されたコネクタに短絡や接触不良などの問題が発生しないため、繰り返し衣服を洗うことができる。
【００７８】
さらに、図４によれば、加熱モジュールは、熱粘性織物層Ａと熱拡散層Ｂとを貼り合わせたものと、熱粘性織物層と熱拡散層との間に挟まれた電熱線もしくは加熱ペーストもしくは加熱トラックＧとを備える。電熱線Ｇは、接続線Ｅを介してコネクタＦに接続される。さらに、加熱モジュールは、熱拡散層の底部に取り付けられた断熱層Ｃを含む。さらに、加熱モジュールは、弾性層Ｈをさらに備え、この弾性層の上に断熱層の底部が接着されている。断熱層を越えて延在する弾性層の領域は、外側に引き伸ばすことができる。加熱モジュールが外力によって引き伸ばされるとき、弾性層は伸長し、電熱式衣服の加熱ゾーンが弾性変形して、着用しやすくなる。
【００７９】
本実施形態の加熱モジュールは、放熱体シート（熱拡散層Ｂと称する）上に電熱線を巻き付けて形成され、放熱体の裏側にはニットシートが被覆されることにより、熱は放熱層によって一様に放出され、一方向に放散される。放熱層Ｂは、ダクロン及び熱反射布を含むが、これらに限定されない。断熱層Ｃは、ニット、断熱布、極フリース、綿及びシリコンゲルシートを含むが、これらに限定されない。図５によれば、電熱線Ｇを熱粘性織物層Ａと熱拡散層Ｂとの間に挟み込んだ加熱モジュール（以下、モード１と称す）の加熱曲線５１０の温度の上昇速度は、布地に電熱線を巻き付けた加熱モジュール（以下、モード２と呼ぶ）の加熱曲線５２０のそれよりも３０％高くなる。電熱式衣服の温度が（図６ａに示されるように）６０℃及び（図６ｂに示されるように）４０℃であり、かつ電熱式衣服の温度が（図６ｃに示されるように）自動的に調整されるとき、モード１の温度曲線Ａは全てモード２の温度曲線Ｂよりも高い加熱速度を有し、モード２の温度曲線Ｂよりも安定している。
【００８０】
さらに、加熱ゾーンは、襟、袖の中間部、袖肘、肩部、胸部、腹部、膝部、大腿部、臀部、袖口部、上背部、腰部及び／又は他の人体部分に対応する部分を含む。
【００８１】
暖房モジュールは、冷たい環境での人体の発熱要求に応じて、製品の様々な異なるデフォルト部分に配置され、コントローラは、各加熱モジュールのオン／オフ及び温度調節を個々に制御することができる。図７によれば、加熱ゾーンの加熱モジュールは取り外し可能であり、各加熱ゾーンのオン／オフ及び温度調節は、各個人の必要性又は嗜好に応じて別々に制御することができ、これにより真のスマートさを実現する。
【００８２】
図８ａによれば、加熱モジュール８１０は、襟に組み込まれる。首は人体の他の部分よりも冷たくなりやすいため、人々は寒い環境下で首を暖かく保つためにフード付きのスカーフ又はオーバーコートを着用する必要がある。首が温かくなると、体のほぼ全体が快適に感じる。したがって、図８ｂに示すように、加熱モジュールはスカーフに埋め込まれてもよい。カーボンファイバーの電熱線、加熱ペースト、又は加熱トラックをスカーフに直接織り込むことにより、ユーザはワイヤーの存在を感じることなくスカーフを気軽に折りたたむことができ、携帯しやすくなる。
【００８３】
図９によれば、加熱モジュール９１０は、加熱式手袋の置き換えとして袖口部分に組み込まれる。ユーザは、必要に応じて暖かく保つために、手をスリーブの袖口の中に縮めるだけでよいので、屋外で働くユーザが手袋を着脱する不便さが軽減される。
【００８４】
図１０によれば、加熱モジュール１０１０は、袖肘部分に組み込まれる。試験により、袖肘部分からの熱が腕全体を暖かく保つことが分かった。非常に特殊な機能として、袖肘部分からの熱が腕の血液循環を高めることができるため、寒い季節に手をより柔軟にすることができる。
【００８５】
図１１に示すように、加熱モジュール１１１０は、肩部に組み込まれる。肩部分からの熱は、保温機能に加え、毎日勤勉に働く現在の都市住人のプレッシャーを緩和し、リラクゼーションを提供することができる。
【００８６】
図１２に示すように、加熱モジュール１２１０は、寒い季節に足を暖かく保つため、大腿部に組み込まれる。暖かい足は筋肉をほぐし、筋肉を柔軟に動かすことができる。
【００８７】
さらに、マイクロプロセッサは、無線及び／又はＢｌｕｅｔｈｏｏｔｈモジュールを介して、携帯端末によって送信された加熱ゾーン温度制御信号を受信する。
【００８８】
図１３ａ及び図１３ｂに示す携帯端末の制御インターフェースから分かるように、温度を連続的に調節し、温度を℃又は°Ｆ単位で増減させることができる。
【００８９】
さらに、加熱ゾーン温度制御信号は、到達目標温度値及び所望の加熱時間を含む。温度値は、摂氏又は華氏温度値の形式で表される。
【００９０】
さらに、電熱式衣服は、メモリをさらに備える。メモリは、マイクロプロセッサの出力に接続された入力を有し、オン／オフ時間、電熱式衣服の温度、動作温度に対応する時間、及び電熱式衣服の型式を記憶する。負傷した部分を熱で治療するユーザのために、電熱システムのメモリは関連する使用記録を記録し、医療記録のデータとしてユーザ又はセラピストに返送することができる。
【００９１】
さらに、加熱ゾーン温度制御信号は、対応する加熱モジュールが予め設定された温度に達するまで立ち上がりエッジ信号が送信され、次いで、立ち下がりエッジ信号が送信されるスイッチングパルス信号である。
【００９２】
実際に実装する際には、オン（すなわち、立ち上がりエッジパルス）時間が温度上昇を決定するために使用され、オフ時間は温度のバランスをとるために使用される。オン時に温度が所望の温度に達すると加熱が停止され（すなわち、立ち下がりパルスが送信される）、温度上昇に遅延して温度低下が起こり、この遅延時間は加熱の状態を維持するためのスイッチング周波数として用いられる。
【００９３】
オン／オフ時間は、異なる電熱式製品又は電熱式衣服に対する異なる要求に応じて変化し得る。本実施形態では、例えば、スイッチングパルス時間は５秒である。
【００９４】
図１４ａ及び図１４ｂによれば、４．５秒間オンにし、０．５秒間オフにすると、温度は６０℃になる。
【００９５】
図１５ａ及び図１５ｂによれば、３秒間オンにし、２秒間オフにすると、温度は５０℃になる。
【００９６】
図１６ａ及び図１６ｂによれば、１．５秒間オンにし、３．５秒間オフにすると、温度は４０℃になる。
【００９７】
加熱材料の抵抗値誤差のために、温度は±５度の誤差を有することがある。
【００９８】
技術的には、オン時間は温度上昇を決定するために使用され、オフ時間は温度のバランスをとるために使用される。オン時に温度が所望の温度に達すると、温度上昇に遅延して温度低下が起こり、この遅延時間は一定温度を維持するためのスイッチング周波数として用いられる。
【００９９】
図１７を参照する。さらに、マイクロプロセッサは、温度センサによって感知された環境温度を受信して、加熱ゾーン温度制御信号を生成する。ユーザにより選択された温度に応じて温度を調整することに加え、予めマイクロプロセッサにスマート調整モードが設定されてもよい。
【０１００】
スマート調整モードには下記が含まれるが、これに限定されない。
【０１０１】
第１のモードについて、オン時の異なるデフォルト温度及び動作時のデフォルト温度は、異なる電熱式製品又は電熱式衣服の異なる使用条件に応じて設定される。本実施形態では、人により着用される電熱式衣服を一例として挙げる。一般に、人体にとって快適な温度は、２０℃〜６０℃の範囲である。しかし、寒い気候で体温を上げる必要がある場合、最初から急速に温度を上げてから一定に保つ必要がある。必要に応じ、オン時のデフォルト温度は６０℃に設定され、動作時のデフォルト温度は５０℃に設定される。電熱式衣服の電源を入れた後の最初の１５分間は、出力は１００％であり、温度は６０℃に達する。１５分後、温度は自動的に５０℃に調整され、電熱式衣服はエネルギーを節約するために温度一定のパルス状態に入る。
【０１０２】
【表１】
0006389965.tif 000002
【０１０３】
【表２】
0006389965.tif 000003
第２のモードについて、製品の温度は環境温度に応じて自動的に調整される。本実施形態では、人により着用される電熱式衣服を一例として挙げる。電熱式衣服の表面に設置された外部温度センサは、異なる温度に応じて異なる抵抗パラメータを設定可能であり、次いで異なる抵抗パラメータをマイクロプロセッサに返送する。そして、マイクロプロセッサは、抵抗パラメータに対応する環境温度に応じて自動的にパルスのスイッチング周波数を調整して、電熱式衣服の温度を対応する温度に調整する。表１及び表２によれば、環境温度に対応する調整温度が予めマイクロプロセッサに設定される。例えば、環境温度が−５〜０℃の範囲内にある場合、電熱式衣服の温度は５５℃に調整される。
【０１０４】
さらに、携帯端末は、電熱式衣服のフィルタリング検索を行い、見つかった電熱式衣服に接続して、対応する加熱ゾーン温度制御信号を生成する。
【０１０５】
携帯端末は、アプリケーション制御システムと共にインストールされた後、Ｂｌｕｅｔｏｏｔｈ又は無線モジュールを介して電熱式衣服と通信可能である。そして、同じアプリケーション制御システムは複数の異なる電熱式製品を制御可能である。
【０１０６】
アプリケーション制御システムにはフィルタリング機能が提供されているため、認証された製品のみがＢｌｕｅｔｏｏｔｈ又は無線モジュールを介して検出される。製品は、ブランドオーナー又はメーカーによって認証されていてもよい。
【０１０７】
さらに、電熱式衣服は、衣服の本体の外面に埋め込まれた表示パネルをさらに備える。表示パネルの入力は、マイクロプロセッサの出力に接続され、加熱ゾーンの温度を表示する。さらに、表示パネルはシリカゲルによって密封される。
【０１０８】
さらに、電熱式衣服は、衣服の本体の外面に埋め込まれたボタンをさらに備える。ボタンは、マイクロプロセッサの入力に接続された出力を有し、加熱ゾーンによって到達される所望の目標温度値を入力する。
【０１０９】
さらに、ボタン上には、温度の上昇又は低下を示す矢印、温度範囲及び／又は温度値が表示される。また、ボタンはシリカゲルによって密封される。電子制御ボタンはシリコンゲル材料で作られ、ＰＣＢＡ上の出力線はシリコンゲル材料で作られ、密封された後に電熱式衣服全体を一体に形成するためのカプセル化にもシリコンゲル材料が使用される。従って、防水という目的が達成される。加熱体のコネクタが水で濡れている場合でも、０．５センチ以内の距離の水の抵抗値は５ＭΩよりも大きいため（マルチメータＦＬＵＫＥ  １７Ｂを用いた測定により得られる）、低電圧加熱体のコネクタに対する短絡や接触不良といった問題は起こらない。したがって、電気衣服は繰り返し洗浄可能である。
【０１１０】
図１８によれば、ボタン及び携帯端末（又は電熱式衣服の表面に埋め込まれた表示パネル）によって表示される操作インターフェースは、Ｂｌｕｅｔｏｏｔｈ又は無線を介して、即時に及び同期的に、電熱式衣服のスイッチング状態を表示することができる。具体的には、Ａは背面部のスイッチング状態を同期的に表示し、Ｂは袖部のスイッチング状態を同期的に表示し、Ｃは背面部及び襟部のスイッチング状態を同期的に表示し、Ｄは背面部及び袖部のスイッチング状態を同期的に表示する。
【０１１１】
さらに、機能ボタンをダブルクリックすることにより、現在の加熱設定を切り替え又は変更することなく、ＬＥＤランプをオフにすることができる。この機能は、ユーザが所望しない場合に、光表示を無効にすることを許可する。光表示はまた、Ｂｌｕｅｔｏｏｔｈ又は無線を介して携帯端末の設定によりオフにすることができる。
【０１１２】
図１９によれば、ボタン及び携帯端末（又は電熱式衣服の表面に埋め込まれた表示パネル）によって表示される操作インターフェースは、Ｂｌｕｅｔｏｏｔｈ又は無線を介して即時に及び同期的に、電熱式衣服の温度状態を表示することができる。具体的には、Ａは温度が最高温度である６０℃に設定されていることを同期的に表示し、Ｂは温度が中程度の温度である５０℃に設定されていることを同期的に表示し、Ｃは温度が最低温度の４０℃に設定されていることを同期的に表示する。
【０１１３】
図２０によれば、本実施形態におけるＢｌｕｅｔｏｏｔｈ  ４．０を有するＭＣＵの回路設計が示される。Ｂｌｕｅｔｏｏｔｈを介して携帯端末と通信するための特定のプログラムがコンパイルされる。図に示されるように、ＣＯＮ１はプログラムとハードウェア間のインターフェースである。ＳＯ−８は、主にソフトウェアとハードウェアとの間の接続及び通信を容易にするために機能するプログラムを格納するＩＣである。図２１は、機能温度及び出力電力を独立して制御することにより、電熱式製品を操作する方法を示す。ＭＣＵは、特定の制御プログラムを格納する。ＰＢ４は、負荷出力であり、出力される負荷出力のグループの数は設計に応じて設定される。必要に応じ、４つの負荷出力のグループが出力されるように設定しておいてもよい。電圧調整回路とＬＥＤインジケータは、図２１に示される。図２２ａは、プリント回路基板の概略正面図であり、図２２ｂは、プリント回路基板の概略背面図である。
【０１１４】
本願の実施形態は、当業者により、方法、システム、又はコンピュータプログラム製品として具現化することができると理解される。従って、本願の実施形態は、すべてハードウェアの実施形態、すべてソフトウェアの実施形態、又はソフトウェアとハードウェアとを組み合わせた実施形態の形をとることができる。さらに、このアプリケーションは、コンピュータが使用可能なプログラムを含む、１つ又は複数のコンピュータが使用可能な記憶媒体（ハードディスクメモリ、ＣＤ−ＲＯＭ、光メモリ、等を含むが、これらに限定されない）上に実装されたコンピュータプログラム製品の形をとることができる。
【０１１５】
このアプリケーションは、本願の実施形態の図及び／又は方法のブロック図、装置（システム）、及びコンピュータプログラム製品のフローチャートを参照することにより説明した。なお、フローチャート図及び／又はブロック図の処理フロー及び／又はブロック、並びに、処理フロー及び／又はブロックの組み合わせの各処理フロー及び／又はブロックは、コンピュータプログラム命令によって実施可能であると理解される。
【０１１６】
これらのコンピュータプログラム命令は、汎用コンピュータ、特殊目的コンピュータ、組み込みハンドラ又は機械を生産するための他のプログラム可能なデータ処理装置のプロセッサに提供することができ、コンピュータ又は他のプログラム可能なデータ処理装置のプロセッサによって実行され、ブロック図の１つ又は複数のブロック及び／又はフローチャート図の１つ又は複数の処理フローで指定された機能を実装するための装置を生成する。
【０１１７】
これらのコンピュータプログラム命令はまた、コンピュータが読み出し可能なメモリに格納され、特定の方法で機能するようにコンピュータ又は他のプログラム可能なデータ処理装置を指示してもよい。コンピュータが読み出し可能なメモリに格納された命令は、ブロック図の１つ又は複数のブロック及び／又はフローチャート図の１つ又は複数の処理フローで指定された機能を実装するための指示装置を含む製品を生産する。
【０１１８】
これらのコンピュータプログラム命令はまた、コンピュータ実装プロセスを生成するための一連の処理ステップをコンピュータ又は他のプログラム可能な装置上で実行させるため、コンピュータ又は他のプログラム可能な装置にロードされてもよい。コンピュータ又は他のプログラム可能な装置上で実行される命令は、ブロック図の１つ又は複数のブロック及び／又はフローチャート図の１つ又は複数の処理フローで指定された機能を実装するためのステップを提供する。
【０１１９】
本願の好ましい実施形態は本明細書に記載されてきたが、当業者であれば、一度基本的な発明概念を知れば、これらの実施形態への追加の変更や変形を行うことができる。したがって、添付の特許請求の範囲は、好ましい実施形態及び本出願の範囲内に入るすべての変更又は変形を含むものとして解釈されることが意図される。
【０１２０】
明らかに、本願の意図及び範囲から逸脱することなく、当業者は本出願の様々な変更及び変形を行うことができる。本願はまた、これらの変更及び変化が添付の特許請求の範囲と同様の技術の範囲内であれば、これらの変形及び変化を含むことが意図される。
以下に、本願出願の当初の特許請求の範囲に記載された発明を付記する。
［１］
コントローラと、降圧レギュレータと、電力コントローラと、負荷とを備え、
前記コントローラの入力は入力電圧を受け取るように構成され、
前記コントローラの第１の出力は、前記負荷の動作電圧よりも高い入力電圧を前記降圧レギュレータに出力するように構成され、
前記コントローラの第２の出力は、前記負荷の動作電圧以下の入力電圧を前記電力コントローラに出力するように構成され、
前記降圧レギュレータは、受け取った前記入力電圧を前記負荷の動作電圧と等しい電圧まで降圧し、前記降圧した電圧を前記電力コントローラに出力し、
前記電力コントローラは、受け取った前記入力電圧を前記コントローラからの負荷制御信号に応じて対応する前記負荷に出力する、
適応型電熱システム。
［２］
前記コントローラの入力に接続された出力を有する少なくとも１つの電源をさらに備える、
［１］記載の適応型電熱システム。
［３］
前記負荷の動作電圧の範囲が３．２Ｖ〜４８Ｖであり、又は前記電源の電圧の範囲が３．２Ｖ〜４８Ｖである、
［２］記載の適応型電熱システム。
［４］
少なくとも１つの前記電源に１対１で対応する少なくとも１つの電源保護回路を備え、
前記少なくとも１つの電源保護回路は、それぞれ対応する前記電源と前記コントローラの入力との間に直列に接続される、
［１］記載の適応型電熱システム。
［５］
複数のソーラー素子をさらに備え、
それぞれの前記ソーラー素子の出力は、前記コントローラの入力又は前記電源の入力に接続される、
［１］記載の適応型電熱システム。
［６］
マイクロプロセッサと、複数の加熱ゾーンと、少なくとも１つの加熱モジュールとをさらに備え、
それぞれの前記加熱ゾーンには、前記適応型電熱システムの前記降圧レギュレータの出力に接続されたコネクタが設けられ、前記加熱モジュールは前記複数の加熱ゾーンに適合し、前記加熱モジュールの入力は前記複数の加熱ゾーンの前記コネクタに適合し、前記マイクロプロセッサの出力は前記コネクタの制御端子に加熱ゾーン温度制御信号を送信する、
［１］記載の適応型電熱システム。
［７］
前記加熱モジュールは、熱粘性織物層と熱拡散層とが互いに結合され、前記熱粘性織物層と前記熱拡散層との間に挟まれた電熱線、加熱ペースト又は加熱トラックを含む、
［６］記載の適応型電熱システム。
［８］
前記マイクロプロセッサは、無線及び／又はＢｌｕｅｔｏｏｔｈモジュールを介して携帯端末によって送信された前記加熱ゾーン温度制御信号を受信する、
［６］記載の適応型電熱システム。
［９］
前記携帯端末は、電熱システムのフィルタリング検索を実行し、見つかった前記電熱システムに接続して、対応する加熱ゾーン温度制御信号を生成する、
［７］記載の適応型電熱システム。
［１０］
前記マイクロプロセッサは、温度センサによって感知された環境温度を受信して、加熱ゾーン温度制御信号を生成する、
［６］記載の適応型電熱システム。
［１１］
前記加熱ゾーン温度制御信号は、対応する前記加熱モジュールが予め設定された温度に達するまで立ち上がりエッジ信号が送信された後、立ち下がりエッジ信号が送信されるスイッチングパルス信号である、
［６］記載の適応型電熱システム。
［１２］
前記加熱ゾーン温度制御信号は、到達目標の温度値及び所望の加熱時間を含み、前記温度値は、摂氏又は華氏温度値の形式で表される、
［６］記載の適応型電熱システム。
［１３］
表示パネルをさらに備え、
前記表示パネルは、前記加熱ゾーンの温度を表示するために前記マイクロプロセッサの出力に接続された入力を有する、
［６］記載の適応型電熱システム。
［１４］
ボタンをさらに備え、
前記ボタンは、前記加熱ゾーンによって到達される所望の目標温度値を入力するために前記マイクロプロセッサの入力に接続された出力を有する、
［６］記載の適応型電熱システム。
［１５］
温度の上昇又は低下を示す矢印、温度範囲及び／又は温度値が前記ボタン上に表示される、
［１４］記載の適応型電熱システム。
［１６］
前記マイクロプロセッサの出力に接続された入力を有し、前記オン／オフ時間、前記電熱システムの温度、前記動作温度に対応する時間、及び前記電熱システムの型式を記憶するメモリをさらに備える、
［６］記載の適応型電熱システム。
［１７］
衣服の本体と、［１］記載の適応型電熱システムとを備え、
前記電熱システムは、前記衣服の本体に内蔵されている、
電熱式衣服。
［１８］
前記衣服の本体は、マイクロプロセッサと、複数の加熱ゾーンと、少なくとも１つの加熱モジュールとを備え、
それぞれの前記加熱ゾーンには、前記適応型電熱システムの前記降圧レギュレータの出力に接続されたコネクタが設けられ、前記加熱モジュールは前記複数の加熱ゾーンに適合し、前記加熱モジュールの入力は前記複数の加熱ゾーンの前記コネクタに適合し、前記マイクロプロセッサの出力は前記コネクタの制御端子に加熱ゾーン温度制御信号を送信する、
［１７］記載の電熱式衣服。
［１９］
前記加熱モジュールは、熱粘性織物層と熱拡散層とが互いに結合され、前記熱粘性織物層と前記熱拡散層との間に挟まれた電熱線、加熱ペースト又は加熱トラックを含む、
［１８］記載の電熱式衣服。
［２０］
前記加熱モジュールは、前記熱拡散層の底部に取り付けられた断熱層をさらに含む、
［１８］記載の電熱式衣服。
［２１］
前記加熱モジュールは、弾性層をさらに含み、前記断熱層の底部は前記弾性層上に接着されることを特徴とする［２０］記載の電熱式衣服。
［２２］
前記マイクロプロセッサは、無線及び／又はＢｌｕｅｔｏｏｔｈモジュールを介して携帯端末によって送信された前記加熱ゾーン温度制御信号を受信する、
［１８］記載の電熱式衣服。
［２３］
前記携帯端末は、電熱式衣服のフィルタリング検索を実行し、見つかった前記電熱式衣服に接続して、対応する加熱ゾーン温度制御信号を生成する、
［２２］記載の電熱式衣服。
［２４］
前記マイクロプロセッサは、温度センサによって感知された環境温度を受信して、加熱ゾーン温度制御信号を生成する、
［１８］記載の電熱式衣服。
［２５］
前記加熱ゾーン温度制御信号は、対応する前記加熱モジュールが予め設定された温度に達するまで立ち上がりエッジ信号が送信された後、立ち下がりエッジ信号が送信されるスイッチングパルス信号である、
［１８］記載の電熱式衣服。
［２６］
前記加熱ゾーンは、襟、袖の中間部、袖肘、肩部、胸部、腹部、膝部、大腿部、臀部、袖口部、上背部、腰部及び／又は他の人体部分に対応する部分を含む、
［１８］記載の電熱式衣服。
［２７］
前記加熱ゾーン温度制御信号は、到達目標の温度値及び所望の加熱時間を含み、前記温度値は、摂氏又は華氏温度値の形式で表される、
［１８］記載の電熱式衣服。
［２８］
前記製品又は衣服の本体の外面に埋め込まれた表示パネルをさらに備え、
前記表示パネルは、前記加熱ゾーンの温度を表示するために前記マイクロプロセッサの出力に接続された入力を有する、
［１８］記載の電熱式衣服。
［２９］
前記衣服の本体の外面に埋め込まれたボタンをさらに備え、
前記ボタンは、前記加熱ゾーンによって到達される所望の目標温度値を入力するために前記マイクロプロセッサの入力に接続されている、
［１８］記載の電熱式衣服。
［３０］
温度の上昇又は低下を示す矢印、温度範囲及び／又は温度値が前記ボタン上に表示される、
［２９］記載の電熱式衣服。
［３１］
前記マイクロプロセッサの出力に接続された入力を有し、前記オン／オフ時間、前記電熱式衣服の温度、前記動作温度に対応する時間、及び前記電熱式衣服の型式を記憶するメモリをさらに備える、
［１８］記載の電熱式衣服。
［３２］
前記ボタン上の前記光表示は、前記ボタンをダブルクリックすること又は前記携帯端末によってインデックス信号を受信することによって、無効にされるか又はオフにされる、
［２９］記載の電熱式衣服。
【図１】
0006389965.tif 000004
【図２】
0006389965.tif 000005
【図３】
0006389965.tif 000006
【図４】
0006389965.tif 000007
【図５】
0006389965.tif 000008
【図６ａ】
0006389965.tif 000009
【図６ｂ】
0006389965.tif 000010
【図６ｃ】
0006389965.tif 000011
【図７】
0006389965.tif 000012
【図８ａ】
0006389965.tif 000013
【図８ｂ】
0006389965.tif 000014
【図９】
0006389965.tif 000015
【図１０】
0006389965.tif 000016
【図１１】
0006389965.tif 000017
【図１２】
0006389965.tif 000018
【図１３ａ】
0006389965.tif 000019
【図１３ｂ】
0006389965.tif 000020
【図１４ａ】
0006389965.tif 000021
【図１４ｂ】
0006389965.tif 000022
【図１５ａ】
0006389965.tif 000023
【図１５ｂ】
0006389965.tif 000024
【図１６ａ】
0006389965.tif 000025
【図１６ｂ】
0006389965.tif 000026
【図１７】
0006389965.tif 000027
【図１８】
0006389965.tif 000028
【図１９】
0006389965.tif 000029
【図２０】
0006389965.tif 000030
【図２１】
0006389965.tif 000031
【図２２ａ】
0006389965.tif 000032
【図２２ｂ】
0006389965.tif 000033